(57)【要約】【課題】ファクシミリ装置の印刷状態に関するステータスを携帯端末装置に対して通知でき、また携帯端末装置にステータス通知を行なった後、携帯端末装置側からファクシミリ装置の処理や印刷データ送信先の選択、決定を可能にするファクシミリ装置を提供すること。【解決手段】コア部２とハードディスク部３と通信部９とを備えるファクシミリ装置で通信部９内に備えた音声送信装置１０９により印刷データに関するステータスを携帯装置端末に音声通知する。また、通信エラーなどにより原稿データの送信に失敗した場合、携帯端末装置側からキー入力を行なうことにより、トーン信号がファクシミリ装置１に送信され、そのトーン信号をトーン認識装置１０２で認識することにより、ファクシミリ装置１自体のアクションを決定することが可能である。これにより携帯端末装置側からファクシミリ装置１の送信先指定情報を送ることが可能になる。【選択図】　　　　図１
2004120199.tif 000002
【特許請求の範囲】
【請求項１】
複数の原稿画像データを読み込む画像読み込み手段と、前記画像読み込み手段から画像データを格納する画像データ格納手段に画像データ転送する画像データ転送手段と、画像データ転送先を指定する接続先指定手段と、前記画像格納手段により格納された画像データの出力順を制御するための制御手段と、前記制御手段により制御された出力順に用紙を出力する出力手段とを備え、コンピュータ等のネットワーク上に接続されたファクシミリ装置上において、印刷データ転送先の印刷状況に関するステータス情報を前記接続先指定装置に出すステータス通知手段を持ち、且つＬＡＮに直接接続されていない装置と通信を行うための通信手段を併せて有することによって、前記ステータス通知手段が前記接続先指定装置だけでなく、携帯端末装置へもステータス通知することを特徴とするファクシミリ装置。
【請求項２】
請求項１におけるファクシミリ装置において、携帯端末装置ヘステータス通知を行い、通知したステータスの内容に応じて、前記携帯端末装置側から次の処理方法を選択、及び決定する手段と、また選択した処理方法を前記ファクシミリ装置に送信し、前記ファクシミリ装置は受信した情報に応じて次の処理を行う手段、を特徴とするファクシミリ装置。
【請求項３】
請求項１におけるファクシミリ装置において、前記携帯端末装置にステータス情報通知をするのに、前記ステータス通知手段からステータス情報を前記携帯端末装置に通知するだけではなく、前記携帯端末装置は接続先指定情報を前記ファクシミリ装置に通知する手段と、前記ファクシミリ装置は受信した接続先指定情報に応じて印刷データを再送信する手段を有する、ことを特徴とするファクシミリ装置。
【請求項４】
請求項１におけるファクシミリ装置において、前記携帯端末装置にステータス通知を行う手段に音声を使用することを特徴としたファクシミリ装置。
【請求項５】
請求項１におけるファクシミリ装置において、前記携帯端末装置にステータス通知する際に、使用するステータス情報音声データを前記ファクシミリ装置内に保持する保持手段として、前記ファクシミリ装置内の読み込み専用メモリに記憶することを特徴とするファクシミリ装置。
【請求項６】
請求項１におけるファクシミリ装置において、前記携帯端末装置にステータス情報通知をするのに、前記通信手段に電波を使ったことを特徴とするファクシミリ装置。
【請求項７】
複数の原稿画像データを読み込む画像読み込み手段と、前記画像読み込み手段から画像データを格納する画像データ格納手段に画像データ転送する画像データ転送手段と、画像データ転送先を指定する接続先指定手段と、前記画像格納手段により格納された画像データの出力順を制御するための制御手段と、前記制御手段により制御された出力順に用紙を出力する出力手段とを備え、コンピュータ等のネットワーク上に接続されたファクシミリ装置上において、携帯端末装置にステータス情報通知を行う場合、前期携帯端末装置から接続先指定情報を前記ファクシミリ手段に通知する手段として、電話回線から受信されるトーン認識装置を前記ファクシミリ装置内に有することを特徴としたファクシミリ装置。
【請求項８】
請求項７におけるファクシミリ装置において、前記モバイル機器装置から転送される前記接続先指定情報の情報通知の手段にトーン信号を使用することを特徴とするファクシミリ装置。
【請求項９】
請求項７におけるファクシミリ装置において、前記モバイル機器装置に発呼するために、前記ファクシミリ装置内に発呼装置を有することを特徴とするファクシミリ装置。
【発明の詳細な説明】
【０００１】
【発明の属する技術分野】
本発明は、電話回線網に接続されているファクシミリ装置のステータス通知、及び情報通知手段に関するものである。
【０００２】
【従来の技術】
従来から、ファクシミリの送信データの送信時に、通信回線の障害や送信先のファクシミリ装置の障害などによってエラーが発生した場合の対処として、代替のファクシミリ装置に印刷する方法は存在していた。他のファクシミリ装置へ着信する電話番号または回線番号を予め記憶する通知先登録部と、通信回線の障害発生レポート及び障害回復レポートの情報を予め保持するレポート保持部と通信回線のうち予め登録された重要回線で障害が発生したときまたは回復したとき、前記レポート保持部３から、障害発生時には障害発生レポート、また障害回復時には障害回復レポートの情報を取り出し、回線データ、日時などの情報を追加して送信レポートを完成したのち、接続手順により接続した着信先へ送信レポートを送信することによって実現していた。
【０００３】
また、送信時にエラーになった場合のファクシミリ装置受信者へのステータス通知手段は、操作者が送信先の番号を入力するキー入力手段と、このキー入力手段から入力された送信先の番号に基づいて通信を制御する通信制御手段と、この通信制御手段を介して受信した応答信号に基づいて送信先の番号が使用されているか否かを判断する応答認識手段と、送信中止の通知文を作成する応答内容通知手段と、この応答内容通知手段にて作成された通知文を印刷する印刷手段とを備え、応答認識手段にて送信先の番号が使用されていないと判断されると文書データの送信を中止するとともに応答内容通知手段に通知文作成を指示するメイン制御手段、によって実現していた。
【０００４】
【発明が解決しようとする課題】
しかしながら、あらかじめ代替ファクシミリ装置を設定する手法は、使用可能なファクシミリ装置が一台以上存在するオフィス環境や、送信先のファクシミリ装置のユーザが代替ファクシミリ装置の近くに常にいる場合は有効だが、それ以外の場合は手間になったり、または代替ファクシミリ装置をして使用できるものを所有していなかったり、急遽自分がその場を離れる場合などには不便であった。本発明は、送信エラー時にリアルタイムで送信先ファクシミリ装置のユーザにエラーであることを通知し、代替ファクシミリ装置を選択できることにより、その時点でユーザにとって最も都合の良いファクシミリ装置から出力できることを可能にするものである。
【０００５】
【課題を解決するための手段】
上記問題点を解決するために、ファクシミリ印刷データに関するステータス通知を知らせる機器は、デスクトップコンピュータのように移動できないものや、ＰＤＡやノートパソコンのように移動できても常にネットワークや電話回線に接続しなければならないものではなく、携帯端末装置などのように持ち運ぶことができ、且つ双方向通信が可能なものが望ましい。
【０００６】
すなわち、本発明のファクシミリ装置及び情報通信手段は、ファクシミリ装置から携帯端末装置ヘステータス通知を行うステータス通知手段と、携帯端末装置上からファクシミリ装置の操作を可能にする選択手段と、送信先のファクシミリ装置を指定、選択するための接続先指定手段と、携帯端末装置からファクシミリ装置に処理内容を通知する通知手段と、携帯端末装置から指定された接続先指定情報に従い、ファクシミリデータを送信する送信手段を有することにより、前記印刷データのステータス通知だけではなく、通信回線を用いて携帯端末装置やＰＨＳなどの携帯端末装置へ接続でき、ファクシミリ装置内のトーン認識装置により、接続先である携帯端末装置やＰＨＳから印刷データの転送先などを変更することを可能にするものである。
【０００７】
【発明の実施の形態】
以下に本発明に係る実施例を詳細に説明する。
【０００８】
図１は、本発明の実施例に係るファクシミリ装置の構成図である。
【０００９】
本システムの中心的役割を果たすファクシミリ装置１は、画像データを電話回線を用いて転送するための通信部９と、画像データ等や各種プログラムを格納しておくためのハードディスク３と、デジタル複合機の機能を操作するユーザインターフェイス部５と、ネットワークを介して外部機器と通信を行うためのネットワークインターフェース部４と、ネットワークを介して外部機器より送られてきたプリントデータをファクシミリ装置１でファクシミリデータを送信可能なフォーマットに変換するフォーマッタ部６と、デジタル画像読み取り部（以下「リーダ」と呼ぶ）７と、その下に配置されたファクシミリデータを印刷出力するデジタル画像プリント部（以下「プリンタ」と呼ぶ）８と、電話回線から受信したトーン信号をデジタル化するトーン認識装置部１０と、これら全ての構成要素を統合して協調動作させるためのコア部２とから成る。
【００１０】
またコア部２にはリーダ部７で読み取った原稿のデータを保持するメモリや、音声データを保持するためのＲＯＭも含まれる。
【００１１】
また、ネットワークには、上記デジタル複写機に対して動作指示を行うためのクライアント端末１１や、ＷＷＷ（Ｗｏｒｌｄ　Ｗｉｄｅ　Ｗｅｂ）サーバ１２とが接続されている。
【００１２】
リーダ部７は、原稿載置台としての原稿台ガラス、スキャナ、原稿照明ランプ及び走査ミラー等で構成されている。
【００１３】
このスキャナは、不図示のモータにより所定方向に往復走査されて、原稿の反射光を３つの走査ミラーを介して且つレンズを透過してＣＣＤセンサに結像する。
【００１４】
リーダ部７で読み取られたファクシミリの原稿は、フォーマッタ部６においてファクシミリデータのフォーマッタに加工され、通信部９によって通信回線を通じてデータ転送される。
【００１５】
また、ファクシミリの送信先は、ハードディスク３の中にデータベースとして格納されている、もしくはユーザが入力して選択する。操作はユーザインターフェイス部５で行われる。
【００１６】
図２は、本発明の実施例に係るファクシミリ装置１の通信部の詳細である。
【００１７】
前記ファクシミリ装置内の各通信モジュールの切り替えを行う通信切り替え装置１０１は前記ファクシミリ装置が行う処理によって、（Ｉ）通信回線から入力されるトーン信号を識別するために一般的に用いられているトーン認識装置１０２、（ＩＩ）ファクシミリデータの入出力を行うファクシミリ送受信部１０３、（ＩＩＩ）電話回線に接続されたファクシミリ装置、又は携帯端末装置に発呼するための発呼部１０６、（ＩＶ）同じく電話回線からの着呼を処理する着呼部１０７、（Ｖ）電話回線に接続されている相手先に音声を出力するための音声発信部１０９、の５種類の装置を切り替える。
【００１８】
その切り替えのタイミングを制御するのがコア部２である。
【００１９】
コア部２はユーザからの入力やユーザへの通知を行うユーザインターフェイス部５やデータベースが保持されているハードディスク部３なども制御している。
【００２０】
また通信部には、図１のリーダ部７で読み取った原稿データをファクシミリの送信データとして送ることのできるデータに変換する処理を行うフォーマッタ部６も含まれる。
【００２１】
そして通信切り替えモジュール１０１で切り替えられる５種類の装置は、通信制御モジュール１０８によって通信回線への入力／出力が制御されている。
【００２２】
図３は本発明の実施例に係るファクシミリシステムの全体図である。
【００２３】
前記図１のファクシミリ装置１。通信回線に接続されているファクシミリ装置１２０。
【００２４】
同じく通信回線に接続されているファクシミリ装置１４０。
【００２５】
ファクシミリ装置１２０のユーザが所有する携帯端末装置１３０から成る。
【００２６】
ファクシミリ装置によってファクシミリの原稿データを送信し、ステータス通知を行うまでを、図４の本ファクシミリ装置のシステム全体のフローチャートを用いて説明する。
【００２７】
ステップ２０１に於いて、ファクシミリデータの送信先を指定する。
【００２８】
ファクシミリ番号はユーザが入力する、またはハードディスク部３に保持されているデータベースから指定する。
【００２９】
ユーザがファクシミリ番号を入力する場合、そのファクシミリ番号をファクシミリ装置１内のデータベースに登録することも可能である。
【００３０】
ここで一旦、登録しておけば、次回から携帯端末装置の番号を入力する必要はなくなる。
データベースへの登録やデータベースからの読み出しに伴うハードディスク部３の制御はコア部２が行う。
ファクシミリ装置１とユーザ間の入力／出力はエーザインターフェイス部５を通じて行われる。
【００３１】
ここではファクシミリ装置１２０のファクシミリ番号が入力されたものとする。
【００３２】
ステップ２０２に於いて、ステータスの通知先となる携帯端末装置の番号を入力する。
【００３３】
携帯端末装置の番号はユーザが入力する、またはハードディスク部３に保持されているデータベースから指定する。
【００３４】
ユーザが携帯端末装置の番号を入力する場合、その携帯端末装置の番号をファクシミリ装置１内のデータベースに登録することも可能である。
【００３５】
データベースへの登録やデータベースからの読み出しに伴うハードディスク部３の制御はコア部２が行う。
【００３６】
ファクシミリ装置１とユーザ間の入力／出力はユーザインターフェイス部５を通じて行われる。
【００３７】
ここでは携帯端末装置１３０の番号が入力されたものとする。
【００３８】
ステップ２０３に於いて、送信する原稿の読み取りを行う。
【００３９】
原稿の読み取りはファクシミリ装置１内のリーダ部７で行われる。
【００４０】
リーダ部７で読み取られた原稿のデータは、コア部２内のメモリに保持される。
【００４１】
ステップ２０４に於いて、ステップ２０３で読み取られた原稿データを、ファクシミリ装置間で送信／受信が可能な形式にフォーマットする。
【００４２】
原稿データのフォーマットはファクシミリ装置１内のフォーマッタ部６で行われる。
【００４３】
ステップ２０５に於いて、ファクシミリの原稿データを送信する送信先へダイヤルする。
【００４４】
通信切り替えモジュール１０１が発呼装置１０６を呼び出し、通信制御モジュール１０８が外部への通信回線と発呼装置１０６とを接続する。
【００４５】
その後発呼装置１０６は、ステップ２０１に於いて入力されたファクシミリ番号へ発呼する。
【００４６】
ステップ２０６に於いて、相手のファクシミリ装置に正常に接続したか否かの判定を行う。
【００４７】
ファクシミリ装置１内の発呼装置１０６からの発呼に対して、送信先のファクシミリ装置１２０が正しく反応しない場合は送信エラーと判断し、ステップ２１０の処理を行う。
【００４８】
また、送信先のファクシミリ装置１２０の応答の判断は、ＩＴＵ−Ｔ勧告の定めた時間を基準にする。
【００４９】
ファクシミリ装置１内のファクシミリ送受信部１０３が行うＩＴＵ−Ｔ勧告の定めた所定の時間を超えたとき、送信先のファクシミリ装置１２０の応答がないと判断する。
【００５０】
送信先のファクシミリ装置に正しく接続されたと判断された場合、ファクシミリ装置１２０に対して原稿データの送信を行う。
【００５１】
その処理はステップ２０７で行っている。
【００５２】
通信切り替えモジュール１０１は発呼装置１０６との通信を切断し、ファクシミリ送受信装置１０３へ接続する。
【００５３】
また通信制御モジュール１０８も同様に、発呼装置１０６との通信を切断しファクシミリ送受信装置１０３と通信回線とを接続する。
【００５４】
その後、ファクシミリ送受信装置１０３は相手のファクシミリ装置１２０へファクシミリ原稿データの送信を行う。
【００５５】
原稿データの送信中、予期せぬ回線の切断などにより正常に原稿データを送信できなくなった場合は送信エラーと判断し、ステップ２１０の処理を行う。
【００５６】
正常に原稿データの送信が終了した場合、ファクシミリ送受信装置１０３は通信回線との接続を切断する。
【００５７】
その後、送信先のファクシミリ装置１２０のユーザ所有の携帯端末装置１３０へ、ファクシミリの終了通告を行う。
【００５８】
終了通知処理はステップ２０９で行っている。
【００５９】
ステップ２０９の詳細を図６を用いて説明する。
【００６０】
ステップ４０１に於いて、通信切替えモジュール１０１はファクシミリ送受信装置１０３を切り離し、発呼装置１０６を呼び出す。
【００６１】
ステップ４０２に於いて、通信制御モジュール１０８は通信回線と発呼装置１０６とを接続する。
【００６２】
その後、ステップ４０３に於いて、発呼装置１０６はステップ２０２に於いて決定された携帯端末装置１３０へ発呼する。
【００６３】
ステップ４０４に於いて、ファクシミリ装置１の発呼に対して、携帯端末装置１３０が正しく着呼しない場合、ステップ４０３の処理を行うことにより、再発呼を行う。
【００６４】
ファクシミリ装置１からの発呼に対して、携帯端末装置１３０が着呼した場合、ステップ４０５の処理を行う。
【００６５】
ステップ４０５に於いて、通信切り替えモジュール１０１は発呼装置１０６との通信を切断し、音声送信装置１０９を呼び出す。
【００６６】
ステップ４０６に於いて、通信制御モジュール１０８は発呼装置１０６と通信回線との接続を切断し、音声送信装置１０９と通信回線とを接続する。
【００６７】
ステップ４０７に於いて、携帯端末装置１３０に対して音声による通知を行う。
【００６８】
ファクシミリ装置１内のＲＯＭに保持されているステータス通知用音声データの中からファクシミリデータ転送の結果に応じた音声メッセージを選択、携帯端末装置１３０に送信する。
【００６９】
音声の通知が終了したら、通信制御モジュール１０８は通信回線との接続を切断する。
【００７０】
以上で終了である。
【００７１】
ステップ２０６に於いて、ファクシミリ装置１の発呼に対して送信先のファクシミリ装置１２０が正しく着呼しない場合や、ステップ２０８に於いて、送信中にエラーが発生した場合はステップ２１０の処理を行う。
【００７２】
ステップ２１０に於いて、ファクシミリ装置１は送信先ファクシミリ装置１２０のユーザが所有する携帯端末装置１３０に対して、エラー通知及び次に行う処理を要求するために発呼する。
【００７３】
通信切り替えモジュール１０１は現在接続されているモジュールを切断し、発呼装置１０６に切り替える。
【００７４】
通信制御モジュール１０８は通信回線と現在接続されているモジュールを切断し、発呼装置１０６と通信回線とを接続する。
【００７５】
その後、発呼装置１０６はステップ２０２に於いて決定された携帯端末番号に対して発呼を行う。
【００７６】
ステップ２１０に於いて、ファクシミリ装置１の発呼に対して、携帯端末装置１３０が正しく着呼しない場合、ステップ２１０の再処理を行うことにより、再発呼を行う。
【００７７】
ファクシミリ装置１の発呼に対して、携帯端末装置１３０が着呼した場合、携帯端末装置１３０に対してステータス通知を行う。
【００７８】
通信切り替えモジュール１０１は発呼装置１０６との通信を切断し、音声送信装置１０９を呼び出す。
【００７９】
通信制御モジュール１０８は発呼装置１０６と通信回線との接続を切断し、音声送信装置１０９と通信回線とを接続する。
【００８０】
携帯端末装置１３０に対して音声による通知を行う。
【００８１】
ファクシミリ装置１内のＲＯＭに保持されているステータス通知用音声データの中からファクシミリデータ転送の結果に応じた音声メッセージを選択、携帯端末装置１３０に送信する。
【００８２】
次にファクシミリ装置１はファクシミリ装置１自身の次のアクションを携帯端末装置に要求する。
【００８３】
その処理群は図５で説明する。
【００８４】
ステップ３０１に於いて、ファクシミリ装置１内のＲＯＭに保持されているステータス通知用音声データの中からファクシミリ装置１自身の次に行う処理を要求する音声メッセージを選択、携帯端末装置１３０に送信する。
【００８５】
要求するメッセージの選択肢は、（Ｉ）印刷中止、（ＩＩ）ファクシミリ装置を替えて印刷、（ＩＩＩ）同じファクシミリ装置で再印刷、などを用意する。
【００８６】
これらの選択肢に対して、携帯端末装置の入力装置を一つ割り当て、携帯端末装置のユーザに対して入力を指示する旨のメッセージを送信する。
【００８７】
電話回線に接続することの出来る携帯端末装置の場合、携帯端末装置のユーザが携帯端末装置に対してキー入力を行った場合、トーン信号が送信される。
【００８８】
本実施例の場合、携帯端末装置１３０とファクシミリ装置１は回線で接続されているので、トーン信号はファクシミリ装置１に送信される。
【００８９】
ステップ３０２に於いて、通信切り替えモジュール１０１は音声送信装置１０９との通信を切断し、トーン認識装置１０２を呼び出す。
【００９０】
通信制御モジュール１０８は音声送信装置１０９と通信回線との通信を切断し、トーン認識装置１０２と通信回線とを接続する。
【００９１】
ステップ３０３に於いて、ファクシミリ装置１は携帯端末装置１３０から送信されるトーン信号の入力待ちを行う。
ステップ３０４に於いて、携帯端末装置１３０から入力されたトーン信号の解読処理を行う。
【００９２】
入力されたトーン信号がステップ３０１の選択肢のどれを選択したかを判断する。
【００９３】
入力されたトーン信号が、ファクシミリ装置１内のＲＯＭ、もしくはハードディスク部３に保持されているデータと一致しない場合、認識エラーであると判断する。
【００９４】
ステップ３０５に於いて、通信切り替えモジュール１０１はトーン認識装置１０２との通信を切断し、音声送信装置１０９に切り替える。
【００９５】
次に通信制御モジュール１０８はトーン認識装置１０２と通信回線との通信を切断し、音声送信装置１０９と通信回線とを接続する。
【００９６】
ステップ３０６に於いて、携帯端末装置から受信したトーン信号の認識が正常にあるか否かによって処理を分別する。
【００９７】
ステップ３０４に於いて認識エラーと判断された場合、携帯端末装置に対してエラー通知を行う。
【００９８】
ステップ３０８に於いて、携帯端末装置に対してエラー通知を行う。
【００９９】
ファクシミリ装置１内のＲＯＭに保持されているステータス通知用音声データの中からトーン信号の認識エラーを意味する音声メッセージを選択、携帯端末装置１３０に送信する。
【０１００】
その後、ファクシミリ装置１自身の次のアクションを要求する処理を行う。
【０１０１】
ステップ３０１の処理へ移動する。
【０１０２】
ステップ３０７に於いて、印刷処理を行なうか否かを分岐処理を行なう。
【０１０３】
ステップ３０１の選択肢に於いて、（Ｉ）印刷中止が選択された場合はステップ２１２の処理を行う。
【０１０４】
また、（ＩＩ）ファクシミリ装置を替えて印刷、（ＩＩＩ）同じファクシミリ装置で再印刷、が選択された場合、ステップ２１４の処理を行なう。
【０１０５】
印刷を終了する場合はステップ２１２に於いて、印刷未完了の通知を行う。
【０１０６】
ファクシミリ装置１内のＲＯＭに保持されているステータス通知用音声データの中から、印刷が正しく完了しなかったことを意味する音声メッセージを選択、携帯端末装置１３０に送信する。
印刷を行う場合はステップ２１４の処理を行う。
【０１０７】
ステップ２１４に於いて、ファクシミリ装置１が原稿データを再送信する際の送信先を決定する。
【０１０８】
再送信する場合、（Ｉ）前回と同じ相手に送信する、（ＩＩ）ファクシミリ装置の送信先を変更する、の二通りが考えられる。
【０１０９】
後者の場合、代替ファクシミリ番号を決定する必要がある。
【０１１０】
これは音声によって携帯通信端末に問いかけ、それに対する解答をトーン信号で受信し、解読する。
【０１１１】
ファクシミリ装置１内のＲＯＭに保持されているステータス通知用音声データの中から、代替ファクシミリ番号の入力指示を意味する音声メッセージを選択、携帯端末装置１３０に送信する。
【０１１２】
電話回線に接続することの出来る携帯端末装置の場合、携帯端末装置のユーザが携帯端末装置に対してキー入力を行った場合、トーン信号が送信される。
【０１１３】
本実施例の場合、携帯端末装置１３０とファクシミリ装置１は回線で接続されているので、トーン信号はファクシミリ装置１に送信される。
【０１１４】
ファクシミリ装置１は携帯端末装置１３０から送信されて来るトーン信号を解釈するため処理を以下で行う。
【０１１５】
通信切り替えモジュール１０１は音声送信装置１０９との通信を切断し、トーン認識装置１０２を呼び出す。
【０１１６】
通信制御モジュール１０８は音声送信装置１０９と通信回線との通信を切断し、トーン認識装置１０２と通信回線とを接続する。
【０１１７】
ステップ３０３に於いて、ファクシミリ装置１は携帯端末装置１３０から送信されるトーン信号の入力待ちを行う。
【０１１８】
ステップ２１５に於いて、携帯端末装置１３０から入力されたトーン信号の解読処理を行う。
【０１１９】
入力されたトーン信号が、ファクシミリ装置１内のＲＯＭ、もしくはハードディスク部３に保持されているデータと一致しない場合、もしくはファクシミリ番号として成り立たないと判断した場合、認識エラーであると判断する。
【０１２０】
認識エラーの場合、エラー通知を行い、その後ステップ２１４へ移動することによって、代替ファクシミリ番号の再入力を行う。
【０１２１】
代替ファクシミリ番号を認識した場合、ステップ２０５へ移動することによって代替ファクシミリ番号に対して印刷データの再送信を行う。
【０１２２】
上記の構成と制御により、印刷データの送信に失敗した場合のその後の処理を、携帯端末装置を所有するユーザが決定することができる。
【０１２３】
以上で動作説明を終了する。
【０１２４】
【発明の効果】
以上説明したように、本発明によれば、印刷データ送信後の通知を携帯端末装置に行い、携帯端末装置側からファクシミリ装置の動作処理を行うことにより、送信先のファクシミリ装置の障害などで印刷データの送信に失敗した場合、携帯端末装置のユーザが代替のファクシミリ装置を決定し印刷データを代替ファクシミリ装置へ再送信できる効果がある。また、印刷の送信が終了した場合などのステータスを携帯端末装置に通知することを可能にする効果がある。
【図面の簡単な説明】
【図１】本発明の実施例のファクシミリ装置のブロック図である。
【図２】通信部及び通信部に直接関係する装置のブロック図である。
【図３】本発明のファクシミリ装置及び印刷データ送信先のファクシミリ装置の全体図である。
【図４】本発明の実施例全体のフローチャートである。
【図５】トーン信号受信部分のフローチャートである。
【図６】通知部分のフローチャートである。
【図１】
2004120199.tif 000003
【図２】
2004120199.tif 000004
【図３】
2004120199.tif 000005
【図４】
2004120199.tif 000006
【図５】
2004120199.tif 000007
【図６】
2004120199.tif 000008